(57)【要約】【課題】  連続再生型ＤＰＦにおいて、車両停止時及び車両走行時の強制再生におけるオイルダイリューションの問題、及び、このオイルダイリューションに起因する機関手動部の摩耗や焼き付きの問題を回避すると共に、ドライバーの負担を軽くすることができる排気ガス浄化システムを提供する。【解決手段】  連続再生型ＤＰＦ１３とＤＰＦ制御手段３０Ｃを備えた排気ガス浄化システム１において、捕集開始後の走行距離ΔＭc が、所定の第１判定用走行距離ΔＭ1 と所定の第２判定用走行距離ΔＭ2 の間にある時には、警告手段３５Ｃによる警告を行ってドライバーに対して手動による強制再生手段３４Ｃの作動を促し、所定の第２判定用走行距離ΔＭ2 と所定の第３判定用走行距離ΔＭ3 の間にある時には、警告手段３５Ｃによる警告を行わずに強制再生手段３４Ｃを自動的に作動させる。【選択図】  図３
2005256628.tif 000002
【特許請求の範囲】
【請求項１】
車両に搭載された内燃機関の排気ガス通路に連続再生型ディーゼルパティキュレートフィルタを備えると共に、該連続再生型ディーゼルパティキュレートフィルタにおける捕集物の量を検出する捕集量検出手段と、該車両の走行距離を検出する走行距離検出手段と、排気温度を上昇させて強制的に捕集物を燃焼して該連続再生型ディーゼルパティキュレートフィルタを再生させる強制再生手段と、前記捕集量検出手段により検出された捕集量が、所定の判定用捕集量より大きいことを検出した場合にドライバーに対して強制再生手段の作動を促す警告を行う警告手段とを有するディーゼルパティキュレートフィルタ制御手段を備えたディーゼルエンジンの排気ガス浄化システムにおいて、
前記ディーゼルパティキュレートフィルタ制御手段が、前記捕集量検出手段により検出された捕集量が前記所定の判定用捕集量より大きいことを検出した場合において、前記走行距離検出手段により検出された捕集開始後の走行距離が、所定の第１判定用走行距離に達しているが、所定の第２判定用走行距離に達していないと判定された時には、前記警告手段による警告を行ってドライバーに対して手動による前記強制再生手段の作動を促し、前記捕集開始後の走行距離が、前記所定の第２判定用走行距離に達しているが、所定の第３判定用走行距離に達していないと判定された時には、前記警告手段による警告を行わずに前記強制再生手段を自動的に作動させることを特徴とする排気ガス浄化システム。
【請求項２】
前記ディーゼルパティキュレートフィルタ制御手段が、前記捕集量検出手段により検出された捕集量が前記所定の判定用捕集量よりも大きいことを検出していない場合において、前記捕集開始後の走行距離が、前記所定の第３判定用走行距離に達したと判定された時には、前記強制再生手段を自動的に作動することを特徴とする請求項１記載の排気ガス浄化システム。
【発明の詳細な説明】
【技術分野】
【０００１】
本発明は、ディーゼルエンジン等の内燃機関の排気ガスに対して、連続再生型ディーゼルパティキュレートフィルタ（ＤＰＦ）による粒子状物質（ＰＭ）の浄化を行う排気ガス浄化システムに関するものである。
【背景技術】
【０００２】
ディーゼル内燃機関から排出される粒子状物質（ＰＭ：パティキュレート・マター：以下ＰＭとする）の排出量は、ＮＯｘ，ＣＯそしてＨＣ等と共に年々規制が強化されてきており、このＰＭをディーゼルパティキュレートフィルタ（ＤＰＦ：Diesel Particulate Filter ：以下ＤＰＦとする）と呼ばれるフィルタで捕集して、外部へ排出されるＰＭの量を低減する技術が開発されている。
【０００３】
このＰＭを捕集するＤＰＦにはセラミック製のモノリスハニカム型ウオールフロータイプのフィルタや、セラミックや金属を繊維状にした繊維型タイプのフィルタ等があり、これらのＤＰＦを用いた排気ガス浄化システムは、他の排気ガス浄化システムと同様に、内燃機関の排気通路の途中に設置され、内燃機関で発生する排気ガスを浄化して排出している。
【０００４】
これらのＤＰＦ装置に、ＤＰＦの上流側に酸化触媒を設けた連続再生型のＤＰＦ装置や、触媒付きフィルタに担持させた触媒の作用によってＰＭの燃焼温度を低下させ、排気ガスによってＰＭを焼却する連続再生型のＤＰＦ装置等がある。
【０００５】
この上流側酸化触媒の連続再生型ＤＰＦ装置は、ＮＯ2 （二酸化窒素）によるＰＭの酸化が、排気ガス中の酸素によりＰＭを酸化することにより、低温で行われることを利用したもので、酸化触媒とフィルタとから構成され、この上流側の白金等を担持した酸化触媒により、排気ガス中のＮＯ（一酸化窒素）を酸化してＮＯ2 にして、このＮＯ2 で、下流側のフィルタに捕集されたＰＭを酸化してＣＯ2 （二酸化炭素）とし、ＰＭを除去している。
【０００６】
また、触媒付きフィルタの連続再生型ＤＰＦ装置は、酸化セリウム（ＣｅＯ2 ）等の触媒を有する触媒付きフィルタで構成され、低温域（３００℃〜６００℃程度）では、触媒付きフィルタにおける排気ガス中のＯ2 （酸素）を使用した反応（４ＣｅＯ2 ＋Ｃ→２Ｃｅ2 Ｏ3 ＋ＣＯ2 ，２Ｃｅ2 Ｏ3 ＋Ｏ2 →４ＣｅＯ2 等）によりＰＭを酸化し、ＰＭが排気ガス中のＯ2 で燃焼する温度より高い高温域（６００℃程度以上）では、排気ガス中のＯ2 によりＰＭを酸化している。
【０００７】
そして、この触媒付きフィルタの連続再生型ＤＰＦ装置等でも、上流側に酸化触媒を設けて、排気ガス中の未燃ＨＣやＣＯの酸化により、これらの大気中への放出を防止しながら、排気ガス温度を上昇させて、ＰＭの酸化除去を促進することが行われている。
【０００８】
しかしながら、これらの連続再生型ＤＰＦにおいても、排気ガス温度が３５０℃以上の時には、このＤＰＦに捕集されたＰＭは連続的に燃焼して浄化され、ＤＰＦは自己再生するが、排気温度が低い場合やＮＯの排出が少ない内燃機関の運転状態、例えば、内燃機関のアイドル運転や低負荷・低速度運転等の低排気温度状態が継続した場合においては、排気ガス温度が低く触媒の温度が低下して活性化しないため、酸化反応が促進されず、また、ＮＯが不足するので、上記の反応が生ぜず、ＰＭを酸化してフィルタを再生できないため、ＰＭのフィルタへの堆積が継続されて、フィルタが目詰まりが進行する。そのため、このフィルタの目詰まりによる排圧上昇の問題が生じる。
【０００９】
このフィルタの目詰まりに対して、この目詰まりが所定の目詰まり量を超えた時に排気温度を強制的に昇温させて捕集されているＰＭを強制的に燃焼除去することが考えられている。このフィルタの目詰まりの検出手段としては、フィルタの前後差圧で検出する方法やエンジンの運転状態から捕集されるＰＭ量を予め設定したマップデータ等から算出してＰＭ累積量を求めて検出する方法等があり、また、排気温度の昇温手段としては、筒内（シリンダ内）噴射における噴射制御による方法や排気管内への直接燃料噴射における燃料制御による方法がある。
【００１０】
この筒内噴射制御は、排気温度がＤＰＦの上流に設けた酸化触媒又はＤＰＦのフィルタに担持された酸化触媒の活性温度よりも低い場合に、マルチ噴射（多段噴射）を行って排気ガスを昇温し、その活性温度よりも上昇したらポスト噴射（後噴射）を行って、排気ガス中の燃料を酸化触媒で燃焼して排気ガスをＤＰＦに捕集されたＰＭが燃焼する温度以上に昇温して、ＤＰＦに捕集されたＰＭを燃焼除去してＤＰＦを再生させる。
【００１１】
通常、これらの連続再生型ＤＰＦでは、このＰＭの蓄積量が予め設定したＰＭの蓄積限界値に到達した時に、自動的に、内燃機関の運転状態を強制再生モード運転に変更して排気温度を強制的に上昇させたり、ＮＯやＮＯ2 の量を増加させたりして、フィルタに捕集されたＰＭを酸化して除去して再生処理を行っている。
【００１２】
また、何らかの事情によりＤＰＦに大量のパティキュレート（ＰＭ）が溜まってしまったような場合に、運転者の意志で直ちにパティキュレートフィルタの強制再生を行うことができるように、強制再生手段を任意に作動せしめるような操作手段、より具体的には、過捕集状態を示す警告ランプと強制再生手段を任意作動させるための再生ボタンを運転席に設けることが提案され、更に、パティキュレートフィルタ（ＤＰＦ）の前後の差圧に基づき背圧の異常な上昇が確認された時に、パティキュレートフィルタが目詰まりしていると判定して捕集済みパティキュレートを強制的に燃焼除去する強制再生の人為的な実行を促す警告を発生することも提案されている（例えば、特許文献１参照及び特許文献２参照。）。
【００１３】
しかしながら、本発明者らは、車両の走行中に強制再生処理を行うと、アイドル再生に比べてエンジン回転数が高いので必然的にポスト噴射量が増え、また、負荷が変化して、過渡状態でエンジン温度が上がってもポスト噴射を行うことになってしまう無駄な噴射（無駄打ち）を避けるのが難しく、その結果として、燃料によるオイルの希釈であるオイルダイリューションが多くなるために、頻繁に強制再生処理が行われるのは好ましくないことが判明した。一方で、車両の停止状態における強制再生制御では、そのようなことがなく、オイルダイリューションが比較的少ないという知見を得たので、車両走行中では強制再生制御をせずに、車両を停止してから強制再生制御をすることを考えた。
【００１４】
この一つとして、フィルタが所定量目詰まりした時にドライバー（運転者）にランプ等を利用して強制再生の必要があることを知らせ、この知らせを受けたドライバーが車両を停止してから運転席に設けた手動再生スイッチを操作することによって、強制再生制御を行ってＤＰＦを再生する方法を考えた。即ち、この停車時のアイドル等の運転条件が安定した時に筒内後噴射を行って昇温させ、オイルダイリューションをより少なく抑えることによりこの問題を解決するとするものである。なお、このオイルダイリューションは、放置すると、機関摺動部の摩耗や焼き付きという問題を引き起こすので、その解決は重要である。
【００１５】
また、一方では、車両は様々な走行パターンを有しているため、例えば、高速道路を頻繁に走行する車両は高速高負荷で運転される機会が多く、排気温度も高いため自己再生が促進され、ＰＭ（捕集物）がＤＰＦ中心部には溜まらず、外側に円周状に偏積する目詰まり、即ち、差圧に現れない目詰まりが生じるという問題もある。このＰＭの偏積があると、この偏積後に行われる強制再生の時に、ＰＭの燃焼が開始される時に、この偏積されたＰＭが略同時に燃焼し急激に燃焼が拡大してＤＰＦ内に高温状態が発生するという熱暴走によるＤＰＦ溶損の原因となる。そのため、これを防止する必要もある。
【００１６】
そして、本発明者らは、オイルダイリューションに関して、相当の距離を走行すると、オイル中に混入した燃料は蒸発し、オイルダイリューションの問題が少なくなるという知見を得たので、これを利用すべく本発明を行った。
【特許文献１】特開２００３−１５５９１４号公報
【特許文献２】特開２００３−１５５９１６号公報
【発明の開示】
【発明が解決しようとする課題】
【００１７】
本発明の目的は、連続再生型ＤＰＦの再生に関して、検出された捕集量が所定の判定用捕集量より大きいことを検出した場合に、点滅灯の点滅等の警告によりドライバーに車両を停止して手動再生スイッチの操作によって強制再生を行うように促す排気ガス浄化システムにおいて、ＤＰＦの強制再生に関して、走行中強制再生時のオイルダイリューションの問題、及び、このオイルダイリューションに起因する機関摺動部の摩耗や焼き付きの問題を回避すると共に、この警告を必要最小限にしてドライバーの負担を軽くすることができる排気ガス浄化システムを提供することにある。
【００１８】
また、本発明の更なる目的は、連続再生型ＤＰＦに捕集される捕集物の偏積に起因する強制再生時の熱暴走を防止してＤＰＦの溶損を回避することができる排気ガス浄化システムを提供することにある。
【課題を解決するための手段】
【００１９】
上記の目的を達成するための本発明の排気ガス浄化システムは、車両に搭載された内燃機関の排気ガス通路に連続再生型ディーゼルパティキュレートフィルタを備えると共に、該連続再生型ディーゼルパティキュレートフィルタにおける捕集物の量を検出する捕集量検出手段と、該車両の走行距離を検出する走行距離検出手段と、排気温度を上昇させて強制的に捕集物を燃焼して該連続再生型ディーゼルパティキュレートフィルタを再生させる強制再生手段と、前記捕集量検出手段により検出された捕集量が、所定の判定用捕集量より大きいことを検出した場合にドライバーに対して強制再生手段の作動を促す警告を行う警告手段とを有するディーゼルパティキュレートフィルタ制御手段を備えたディーゼルエンジンの排気ガス浄化システムにおいて、前記ディーゼルパティキュレートフィルタ制御手段が、前記捕集量検出手段により検出された捕集量が前記所定の判定用捕集量より大きいことを検出した場合において、前記走行距離検出手段により検出された捕集開始後の走行距離が、所定の第１判定用走行距離に達しているが、所定の第２判定用走行距離に達していないと判定された時には、前記警告手段による警告を行ってドライバーに対して手動による前記強制再生手段の作動を促し、前記捕集開始後の走行距離が、前記所定の第２判定用走行距離に達しているが、所定の第３判定用走行距離に達していないと判定された時には、前記警告手段による警告を行わずに前記強制再生手段を自動的に作動させることを特徴として構成される。
【００２０】
また、上記の排気ガス浄化システムにおいて、前記ディーゼルパティキュレートフィルタ制御手段が、前記捕集量検出手段により検出された捕集量が前記所定の判定用捕集量よりも大きいことを検出していない場合において、前記捕集開始後の走行距離が、前記所定の第３判定用走行距離に達したと判定された時には、前記強制再生手段を自動的に作動することを特徴として構成される。
【００２１】
なお、上記の排気ガス浄化システムにおける連続再生型ＤＰＦ装置としては、フィルタに酸化触媒を担持させた装置、フィルタの上流側に酸化触媒を設けた装置、フィルタに触媒を担持させると共に該フィルタの上流側に酸化触媒を設けた装置等がある。
【発明の効果】
【００２２】
本発明の排気ガス浄化システムによれば、ＤＰＦの再生のための強制再生手段の作動の可否の判定に関して、ＤＰＦの捕集量が所定の判定用捕集量よりも大きい場合に、再生後の走行距離に応じて、ドライバーへの手動操作による強制再生を促す警告と、自動作動とを使い分けるので、この組み合わせにより、次のような効果を奏することができる。
【００２３】
再生後の走行距離が所定の第２判定用走行距離を超えておらず、オイル中に混入した燃料の蒸発が不十分であると判断した時には、ドライバーに対して車両を停止して手動による強制再生を行うように警告し、ドライバーの手動操作により、停車時アイドル等の運転条件が安定した時に筒内噴射を行って、排気温度及びＤＰＦを昇温させるので、オイルダイリューションの問題を回避することができる。
【００２４】
また、再生後の走行距離が所定の第２判定用走行距離を超えて、オイル中に混入した燃料の蒸発が十分行われていると判断した時には、ドライバーへの手動操作を促す警告を行わずに自動的に強制再生するので、ドライバーへの手動操作を促す警告を必要最小限にしてドライバーの負担を軽くすることができる。
【００２５】
更に、再生後の走行距離が所定の第３判定用走行距離を超えて、捕集物の偏積に起因する熱暴走の可能性が生じていると判断した時には、自動的に強制再生を行うので、捕集物の偏積に起因する熱暴走を防止してＤＰＦの溶損を回避することができる。
【００２６】
また、ＤＰＦの捕集量が所定の判定用捕集量よりも小さい場合においても、再生後の走行距離が所定の第３判定用走行距離を超えて、捕集物の偏積に起因する熱暴走の可能性が生じていると判断した時には、自動的に強制再生を行うので、より効果的に熱暴走を防止してＤＰＦの溶損を回避することができる。
【発明を実施するための最良の形態】
【００２７】
以下、本発明に係る実施の形態の排気ガス浄化システムについて、酸化触媒と触媒付きフィルタの組合せで構成される連続再生型ＤＰＦ装置を備えた排気ガス浄化システムを例にして、図面を参照しながら説明する。
【００２８】
図１に、この実施の形態の内燃機関の排気ガス浄化システム１の構成を示す。この排気ガス浄化システム１は、ディーゼルエンジン１０の排気マニホールド１１に接続する排気通路１２に連続再生型ＤＰＦ１３を設けて構成されている。この連続再生型ＤＰＦ１３は、上流側に酸化触媒１３ａを下流側に触媒付きフィルタ１３ｂを有して構成される。
【００２９】
この酸化触媒１３ａは、多孔質のセラミックのハニカム構造等の担持体に、白金（Ｐｔ）等の酸化触媒を担持させて形成され、触媒付きフィルタ１３ｂは、多孔質のセラミックのハニカムのチャンネルの入口と出口を交互に目封じしたモノリスハニカム型ウオールフロータイプのフィルタや、アルミナ等の無機繊維をランダムに積層したフェルト状のフィルタ等で形成される。このフィルタの部分に白金や酸化セリウム等の触媒を担持する。
【００３０】
そして、触媒付きフィルタ１３ｂに、モノリスハニカム型ウオールフロータイプのフィルタを採用した場合には、排気ガスＧ中のＰＭ（粒子状物質）は多孔質のセラミックの壁で捕集（トラップ）され、繊維型フィルタタイプを採用した場合には、フィルタの無機繊維でＰＭを捕集する。
【００３１】
そして、触媒付きフィルタ１３ｂのＰＭの堆積量を推定するために、連続再生型ＤＰＦ１３の前後に接続された導通管に差圧センサ２１が設けられる。また、触媒付きフィルタ１３ｂの再生制御用に、酸化触媒１３ａと触媒付きフィルタ１３ｂの上流側、中間及び下流側に、それぞれ、酸化触媒入口排気温度センサ２２、フィルタ入口排気温度センサ２３が設けられる。
【００３２】
これらのセンサの出力値は、エンジン１０の運転の全般的な制御を行うと共に、連続再生型ＤＰＦ１３の再生制御も行う制御装置（ＥＣＵ：エンジンコントロールユニット）３０に入力され、この制御装置３０から出力される制御信号により、エンジン１０の燃料噴射装置（噴射ノズル）１４や、吸気マニホールド１５への吸気量を調整する吸気絞り弁１６や、図示しないＥＧＲ通路にＥＧＲクーラと共に設けられたＥＧＲ量を調整するＥＧＲバルブ等が制御される。
【００３３】
この燃料噴射装置１４は燃料ポンプ（図示しない）で昇圧された高圧の燃料を一時的に貯えるコモンレール噴射システム（図示しない）に接続されており、制御装置３０には、エンジンの運転のために、アクセルポジションセンサ（ＡＰＳ）３１からのアクセル開度、回転数センサ３２からのエンジン回転数等の情報の他、車両速度、冷却水温度等の情報も入力される。
【００３４】
そして、本発明においては、図２に示すように、制御装置３０は、エンジンの運転を制御するエンジン制御手段２０Ｃと、排気ガス浄化システム１のためのディーゼルパティキュレートフィルタ（ＤＰＦ）制御手段３０Ｃ等を有して構成される。そして、このＤＰＦ制御手段３０Ｃは、通常運転制御手段３１Ｃ、ＰＭ捕集量検出手段３２Ｃ、走行距離検出手段３３Ｃ、強制再生手段３４Ｃ、警告手段３５Ｃ等を有して構成される。
【００３５】
通常運転検出手段３１Ｃは、特に、連続再生型ＤＰＦ１３の再生に関係なしに行われる通常の運転を行うための手段であり、アクセルポジションセンサ３１の信号及び回転数センサ３２の信号に基づいて制御装置３０で演算された通電時間信号により、所定量の燃料が燃料噴射装置１４から噴射される通常の噴射制御が行われる。
【００３６】
ＰＭ捕集量検出手段３２Ｃは、連続再生型ＤＰＦ１３の触媒付きフィルタ１３ｂに捕集されるＰＭの捕集量ΔＰm を検出する手段であり、この捕集量ΔＰm の検出は、エンジンの回転速度や負荷から推定した堆積量の累積計算値や、エンジンの回転累積時間や、連続再生型ＤＰＦ装置１３の前後の差圧等で検出する。この実施の形態では、連続再生型ＤＰＦ装置１３の前後の差圧、即ち、差圧センサ２１による測定値を基にして検出する。
【００３７】
走行距離検出手段３３Ｃは、ＤＰＦ再生の後に車両が走行した距離ΔＭc を検出する手段であり、強制再生が行われた場合には、再生の開始時から再生終了時までの適当な時期にリセットされる。
【００３８】
強制再生手段３４Ｃは、連続再生型ＤＰＦ１３の種類に応じて多少制御が異なるが、エンジン１０の筒内（シリンダ内）噴射においてマルチ噴射（多段噴射）を行って、排気温度を酸化触媒１３ａの活性温度まで上昇させ、その後ポスト噴射（後噴射）を行ってフィルタ入口排気温度センサ２３で検知されるフィルタ入口排気温度を上げて、ＰＭの酸化除去に適した温度や環境になるようにし、触媒付きフィルタ１３ｂに捕集されたＰＭを強制的に燃焼除去して触媒付きフィルタ１３ｂを強制再生する。なお、吸気絞りやＥＧＲ等の吸気系制御を併用することもある。
【００３９】
警告手段３５Ｃは、点滅灯（ＤＰＦランプ）４１、警告灯（警告ランプ）４２等で構成され、ドライバー（運転者）に、点滅灯４１の点滅により手動による強制再生手段３４Ｃの作動を促す警告を行ったり、警告灯４２の点灯によりドライバーに車両をサービスセンターに持っていくように促す手段である。なお、この警告を受けたドライバーは手動再生スイッチ４３を操作することにより、強制再生手段３４Ｃを作動することができる。
【００４０】
そして、これらの各種手段を有するＤＰＦ制御手段３０Ｃは、ＰＭ捕集量検出手段３２Ｃで検出されたＰＭの捕集量ΔＰm と、走行距離検出手段３３Ｃで検出されたＤＰＦ再生の後の走行距離ΔＭc に基づいて、通常運転制御手段３１Ｃによる通常の運転を継続したり、ドライバーに対して手動による強制再生手段３４Ｃの作動を促す警告を行ったり、自動的に強制再生手段３４Ｃを作動させたりする手段として構成される。
【００４１】
次に、この排気ガス浄化システム１の再生制御について、特に、ＤＰＦ制御手段３０Ｃが行う、強制再生手段３４Ｃの作動と警告手段３５Ｃの作動について説明する。この排気ガス浄化システム１の制御においては、通常運転制御手段３１Ｃによって通常の運転が行われ、ＰＭを捕集するが、この通常の運転において、適当な時間間隔で、図３に例示するような再生制御フローに従った制御を行う。この制御で、ＰＭ捕集量検出手段３１Ｃで検出されたＰＭの捕集量ΔＰm と走行距離検出手段３２Ｃで検出された走行距離ΔＭc が、所定の範囲内に入るか否か、手動再生の可否、走行自動再生の可否を判断して、必要に応じて、各種の処理を行った後戻って、更に、通常運転制御手段３１Ｃによる通常の運転を行う。そして、通常の運転と再生制御を繰り返しながら、車両の運転が行われる。
【００４２】
この図３の再生制御フローについて、強制再生制御の要否を判定するために用いる図４の再生制御用マップを参照しながら説明する。
【００４３】
最初に、図４の再生制御用マップについて説明すると、この図４の模式的に示した再生制御用マップは、縦軸はＰＭ（捕集物）の捕集量（この実施の形態では差圧）ΔＰを示し、この捕集量ΔＰの領域を第１閾値（所定の判定用捕集量）ΔＰ1 、第２閾値ΔＰ2 、第３閾値ΔＰ3 の三つの閾値で、第１捕集量領域Ｒp1，第２捕集量領域Ｒp2，第３捕集量領域Ｒp3，第４捕集量領域Ｒp4の四つの領域に区分する。また、横軸は走行距離ΔＭを示し、この走行距離ΔＭの領域を第１閾値（所定の第１判定用走行距離）ΔＭ1 、第２閾値（所定の第２判定用走行距離）ΔＭ2 、第３閾値（所定の第３判定用走行距離）ΔＭ3 の三つの閾値で、第１走行距離領域Ｒm1，第２走行距離領域Ｒm2，第３走行距離領域Ｒm3，第４走行距離領域Ｒm4の四つの領域に区分する。そして、再生制御によって現在の状態がどの領域にあるかを判断し、必要に応じて、次のような処理が行われる。
【００４４】
なお、この第１閾値ΔＭ1 は、車両停止時における強制再生を行う場合にオイルダイリューションによる問題が生じない下限を示す値であり、また、第２閾値ΔＭ2 は、走行中における強制再生を行う場合のオイルダイリューションによる問題が生じない下限を示す値である。更に、第３閾値ΔＭ3 は、触媒付きフィルタ１３ｂにおけるＰＭの偏積に起因する熱暴走及びＤＰＦの溶損を防止するために強制再生を行う値である。また、この第４走行距離領域Ｒm4は、第３閾値ΔＭ3 を超えた領域のことであり、自動的に強制再生を行ったり、自動的に警告灯を点灯したりする。
【００４５】
最初に、検出された走行距離ΔＭc が第１閾値ΔＭ1 を超えずに第１走行距離領域Ｒm1にある場合は、手動（マニュアル）による強制再生を行うと、オイル中の燃料の蒸発が不十分であるため、オイルダイリューションの問題が生じる。そのため、この場合には手動による強制再生を禁ずる。また、この場合でも、走行パターンによっては、走行距離当たりのＰＭの蓄積量が多くて、検出された捕集量ΔＰm が、第３閾値ΔＰ3 を超えて第４捕集量領域Ｒp4に入ってしまうことが生じる時があるが、この時には、連続再生型ＤＰＦ１３に捕集されたＰＭが自己燃焼を開始して急激なＰＭの燃焼である熱暴走を回避するために、手動再生及び走行自動再生を禁止した状態にすると共に、ドライバーにサービスセンターに持っていくことを促すための警告灯４２を点灯する。
【００４６】
次に、検出された走行距離ΔＭc が第１閾値ΔＭ1 を超えて第２走行距離領域Ｒm2に入った時には、まだ、走行が不十分でエンジンオイルに混入した燃料分の蒸発が十分に行われていないため、走行中の強制再生は行わずに、ドライバーに対して車両を停止して手動で強制再生を行う手動再生を促す警告を行うが、検出された捕集量ΔＰm の大きさによって異なる警告を行う。
【００４７】
検出された捕集量ΔＰm が、第１閾値ΔＰ1 より小さい間は、触媒付きフィルタ１３ｂの目詰まりは小さく、強制再生手段３４Ｃの作動の必要は無いので、そのまま、通常の運転を継続する。また、検出された捕集量ΔＰm が、第１閾値ΔＰ1 を超えているが、第２閾値ΔＰ2 を超えていないという第２差圧領域Ｒp2に入った時には、走行中の強制再生時のオイルダイリューションの問題を回避するために走行自動再生を禁止すると共に、点滅灯４１をゆっくり点滅（マニュアル点滅１）させ、ドライバーに対して、車両を停止しての手動による強制再生（手動再生：マニュアル再生）を促す。
【００４８】
更に、検出された捕集量ΔＰm が、第２閾値ΔＰ2 を超えているが、第３閾値ΔＰ3 を超えていないという第３差圧領域Ｒp3に入った時には、走行中の強制再生時のオイルダイリューションの問題を回避するために走行自動再生を禁止すると共に、点滅灯４１を早く点滅（マニュアル点滅２）させ、ドライバーに対して、車両を停止しての手動による強制再生を強く促す。この第３差圧領域Ｒp3に入った場合には、運転状態によっては、連続再生型ＤＰＦ１３に捕集されたＰＭが自己燃焼を開始して急激なＰＭの燃焼である熱暴走を起こし、触媒付きフィルタ１３ｂの溶損が生じる可能性が大きくなるので、この自己着火を懸念して噴射燃料量の絞りを併せて行う。
【００４９】
そして、検出された捕集量ΔＰm が、第３閾値ΔＰ3 を超えて第４差圧領域Ｒp4に入った時には、熱暴走を回避するために、手動再生及び走行自動再生を行わないようにして、警告灯４２を点灯し、運転者にサービスセンターに持っていくことを促す。
【００５０】
次に、検出された走行距離ΔＭc が第２閾値ΔＭ2 を超えて第３走行距離領域Ｒm3に入った時には、エンジンオイルに混入した燃料分の蒸発が十分に行われ、走行中に強制再生を行ってもオイルダイリューションの問題が生じ難いので、検出された捕集量ΔＰm が、第１閾値ΔＰ1 を超えて第２捕集量領域Ｒp2に入った時には、走行中において自動的に強制再生手段３４Ｃを作動させる走行自動再生を行う。この走行自動再生により、ドライバーに対する手動による強制再生、即ち、手動再生スイッチ４３のＯＮ／ＯＦＦ操作に関する負担をかけることのないようにする。なお、検出された捕集量ΔＰm が、第１閾値ΔＰ1 より小さい間は、触媒付きフィルタ１３ｂの目詰まりは小さく、強制再生手段３４Ｃの作動の必要は無いので、そのまま、通常の運転を継続する。
【００５１】
そして、検出された走行距離ΔＭc が第３閾値ΔＭ3 を超えて第４走行距離領域Ｒm4に入った時には、ＰＭがＤＰＦ中心部には溜まらず、外側に円周状に偏積する目詰まり、即ち、差圧に現れない目詰まりが発生している可能性が強くなるので、この偏積に起因する熱暴走を防止するために、検出された捕集量ΔＰm が、第３閾値ΔＰ3 を超えない範囲では、検出された差圧ΔＰm に関係なく必ず走行中の自動強制再生を行って偏積されたＰＭを焼却する。
【００５２】
しかし、検出された捕集量ΔＰm が、第３閾値ΔＰ3 を超えて第４差圧領域Ｒp4に入った時には、過捕集による熱暴走を回避するために手動再生及び走行自動再生を禁止した状態にすると共に、警告灯４２を点灯し、運転者にサービスセンターに持っていくことを促す。
【００５３】
この図４に示すような再生制御マップに示された制御は、図３に例示したような再生制御フローによって実施できる。この図３の再生制御フローがスタートすると、ステップＳ１０で、検出された走行距離ΔＭc が第１閾値ΔＭ1 を超ているか否かを判定する。この判定で、超えておらずに第１走行距離領域Ｒm1にある場合には、ステップＳ１１で、検出された捕集量ΔＰm が、第３閾値ΔＰ3 を超えているか否かを判定し、超えていない場合にはそのままでリターンし、通常の運転を継続する。また、超えている場合にはステップＳ１２で警告灯４２を点灯してリターンする。
【００５４】
従って、ステップＳ１０の判定で第１走行距離領域Ｒm1にあると判定された場合には、手動による強制再生手段３４Ｃの作動は禁止される。なお、車両の走行中に自動的に強制再生手段３４Ｃの作動を行う走行自動再生も行われない。
【００５５】
そして、ステップＳ１０で、走行距離ΔＭc が第１閾値ΔＭ1 を超えている場合には、ステップＳ２０で、走行距離ΔＭc が第２閾値ΔＭ2 を超えているか否かを判定する。この判定で、超えていない場合には、ステップＳ２１で捕集量ΔＰm が第１閾値ΔＰ1 を超えているか否かを判定し、超えていない場合にはそのままリターンし通常の運転を継続する。
【００５６】
そして、ステップＳ２１で捕集量ΔＰm が第１閾値ΔＰ1 を超えている場合には、ステップＳ２２で捕集量ΔＰm が第２閾値ΔＰ2 を超えているか否かを判定し、超えていない場合には、ステップＳ２４で、点滅灯４１をゆっくり点灯し、ステップＳ２６で手動スイッチのＯＮ／ＯＦＦを判定する。
【００５７】
また、ステップＳ２２の判定で捕集量ΔＰm が第２閾値ΔＰ2 を超えている場合には、ステップＳ２３で捕集量ΔＰm が第３閾値ΔＰ3 を超えているか否かを判定し、超えていない場合には、ステップＳ２５で、点滅灯４１を早く点灯し、ステップＳ２６で手動スイッチのＯＮ／ＯＦＦを判定する。
【００５８】
ステップＳ２６で手動再生スイッチ４３がＯＮである場合には、ステップＳ２６の手動再生スイッチ４３のＯＮによって強制再生手段３４Ｃを作動させる手動再生を行い、ステップＳ２８で、走行距離ΔＭc のカウンタをリセットしてリターンする。また、捕集量ΔＰm を差圧ではなく、ＰＭの累積量で判定する場合には、このＰＭの累積量もリセットする。また、ステップＳ２６で手動再生スイッチ４３がＯＮでない場合には、そのままリターンし、この再生制御フローの繰り返し中にドライバーによって手動再生スイッチ４３がＯＮされるのを待つ。
【００５９】
そして、ステップＳ２３の判定で、捕集量ΔＰm が第３閾値ΔＰ3 を超えている場合には、手動再生と走行自動再生を禁止した状態で、ステップＳ２９で、警告灯４２を点灯してリターンする。
【００６０】
また、ステップＳ２０の判定で、走行距離ΔＭc が第２閾値ΔＭ2 を超えている場合には、ステップＳ３０で、走行距離ΔＭc が第３閾値ΔＭ3 を超えているか否かを判定する。このステップＳ３０の判定で、超えている場合には、ステップＳ３１で捕集量ΔＰm が第１閾値ΔＰ1 を超えているか否かを判定する。このステップＳ３１の判定で、超えていない場合にはそのままリターンし通常の運転を継続する。また、ステップＳ３１の判定で超えている場合には、ステップＳ３２の判定に行く。そして、ステップＳ３０の判定で、超えていない場合もステップＳ３２の判定に行く。
【００６１】
ステップＳ３２で、捕集量ΔＰm が第３閾値ΔＰ3 を超えているか否かを判定し、超えている場合には、手動再生と走行自動再生を禁止した状態で、ステップＳ３５で、警告灯４２を点灯してリターンする。
【００６２】
また、ステップＳ３２の判定で、捕集量ΔＰm が第３閾値ΔＰ3 を超えていない場合には、ステップＳ３３で走行中に自動的に強制再生手段３４Ｃを作動させる走行自動再生を行い、ステップＳ３４で、走行距離ΔＭc のカウンタをリセットし、リターンする。また、捕集量ΔＰm を差圧ではなく、ＰＭの累積量で判定する場合には、このＰＭの累積量もリセットする。
【００６３】
この図３に示す再生制御フローに従った制御により、次のようなことができる。
【００６４】
捕集量検出手段３２Ｃにより検出された捕集量ΔＰm が所定の判定用捕集量ΔＰ1 より大きいことを検出した場合において、走行距離検出手段３３Ｃにより検出された捕集開始後の走行距離ΔＭc が、所定の第１判定用走行距離ΔＭ1 に達しているが、所定の第２判定用走行距離ΔＭ2 に達していないと判定された時には、警告手段３５Ｃによる警告を行ってドライバーに対して手動による強制再生手段３４Ｃの作動を促し、捕集開始後の走行距離ΔＭc が、所定の第２判定用走行距離ΔＭ2 に達しているが、所定の第３判定用走行距離ΔＭ3 に達していないと判定された時には、警告手段３５Ｃによる警告を行わずに強制再生手段３４Ｃを自動的に作動させることができる。
【００６５】
また、捕集量検出手段３２Ｃにより検出された捕集量ΔＰm が所定の判定用捕集量ΔＰ1 よりも大きいことを検出していない場合において、捕集開始後の走行距離ΔＭc が、所定の第３判定用走行距離ΔＭ3 に達したと判定された時には、強制再生手段３４Ｃを自動的に作動することができる。
【００６６】
従って、この排気ガス浄化システム１によれば、連続再生型ＤＰＦ１３の再生のための強制再生手段３４Ｃの作動の可否の判定に関して、触媒付きフィルタ１３ｂの捕集量ΔＰm が所定の判定用捕集量ΔＰ1 よりも大きい場合に、再生後の走行距離ΔＭc に応じて、ドライバーへの手動操作を促す警告と、自動作動とを使い分けるので、この組み合わせにより、次のような効果を奏することができる。
【００６７】
再生後の走行距離ΔＭc が所定の第２判定用走行距離ΔＭ2 を超えておらず、オイル中に混入した燃料の蒸発が不十分であると判断した時には、ドライバーに対して車両を停止してから手動による強制再生を行うように警告し、停車時アイドル等の運転条件が安定した時に筒内噴射を行って昇温させるので、オイルダイリューションの問題を回避することができる。
【００６８】
また、再生後の走行距離ΔＭc が所定の第２判定用走行距離ΔＭ2 を超えて、オイル中に混入した燃料の蒸発が十分行われていると判断した時には、ドライバーへの手動操作を促す警告を行わずに自動的に強制再生するので、ドライバーへの手動操作を促す警告を必要最小限にしてドライバーの負担を軽くすることができる。
【００６９】
更に、再生後の走行距離ΔＭc が所定の第３判定用走行距離ΔＭ3 を超えて、捕集物の偏積に起因する熱暴走の可能性が生じていると判断した時には、自動的に強制再生を行うので、捕集物の偏積に起因する熱暴走を防止して触媒付きフィルタ１３ｂの溶損を回避することができる。
【００７０】
また、触媒付きフィルタ１３ｂの捕集量ΔＰm が所定の判定用捕集量ΔＰ1 よりも小さい場合においても、再生後の走行距離ΔＭc が所定の第３判定用走行距離ΔＭ3 を超えて、捕集物の偏積に起因する熱暴走の可能性が生じていると判断した時には、自動的に強制再生を行うので、この熱暴走を防止して触媒付きフィルタ１３ｂの溶損をより効果的に回避することができる。
【００７１】
なお、上記の説明では、排気ガス浄化システムにおける連続再生型ＤＰＦ装置として、フィルタに触媒を担持させると共に該フィルタの上流側に酸化触媒を設けた装置を例にして説明したが、本発明はこれに限定されるものではなく、フィルタに酸化触媒を担持させた装置、フィルタの上流側に酸化触媒を設けた装置等の他のタイプの連続再生型ＤＰＦにも適用可能である。
【図面の簡単な説明】
【００７２】
【図１】本発明に係る実施の形態の排気ガス浄化システムのシステム構成図である。
【図２】本発明に係る実施の形態の排気ガス浄化システムの制御手段の構成を示す図である。
【図３】本発明に係る実施の形態の排気ガス浄化システムの再生制御フローを示す図である。
【図４】本発明に係る実施の形態の排気ガス浄化システムの再生制御用マップを模式的に示す図である。
【符号の説明】
【００７３】
１    排気ガス浄化システム
１０    ディーゼルエンジン
１３    連続再生型パティキュレートフィルタ装置
１３ａ  酸化触媒
１３ｂ  触媒付きフィルタ
３０    制御装置（ＥＣＵ）
３０Ｃ  ＤＰＦ制御手段
３１Ｃ  通常運転制御手段
３２Ｃ  ＰＭ捕集量検出手段
３３Ｃ  走行距離検出手段
３４Ｃ  強制再生手段
３５Ｃ  警告手段
ΔＭc   捕集開始後の走行距離
ΔＭ1   所定の第１判定用走行距離（第１閾値）
ΔＭ2   所定の第２判定用走行距離（第２閾値）
ΔＭ3   所定の第３判定用走行距離（第３閾値）
ΔＰm   検出された捕集量
ΔＰ1   所定の判定用捕集量（第１閾値）
【図１】
2005256628.tif 000003
【図２】
2005256628.tif 000004
【図３】
2005256628.tif 000005
【図４】
2005256628.tif 000006